(57)【要約】  本発明の実施形態は、端末上に表示されている画面がデスクトップでないとき、ユーザが現在の画面から他のコンテンツの画面に切り替える方式が比較的複雑であるという課題を解決するべく、画面表示方法および端末を提供し、電子製品アプリケーションの分野に関する。当該方法は、端末が、第１画面を表示しているときに、第１トリガイベントを検出し、第１トリガイベントに応答し、ショートカットウィンドウを第１画面上に表示する段階であって、ショートカットウィンドウは、少なくとも１つのオブジェクトを含み、各オブジェクトは、１つのエレメントに関連付けられる、段階と、端末が、ショートカットウィンドウ内の少なくとも１つのオブジェクトが選択されたことを検出した後に、選択されたオブジェクトに関連付けられたエレメントの画面を表示する段階とを備える。本発明の実施形態においては、ショートカットウィンドウを第１画面上に表示することができる。従って、ユーザは、ショートカットウィンドウを第１画面上に直接呼び出すこと、およびショートカットウィンドウ内のオブジェクトを用いることにより、別のエレメントの画面に直接的に入り得る。これにより、従来技術と比較して、第１画面から別のエレメントの画面に入る方式が簡略化され、それによりユーザエクスペリエンスが改善される。
2019532436.tif 000002
【特許請求の範囲】
【請求項１】
画面表示方法であって、
端末が、第１画面を表示しているときに、第１トリガイベントを検出する段階であって、前記第１トリガイベントは、ショートカットウィンドウを前記第１画面上に表示することをトリガするために用いられる、段階と、
前記端末が、前記第１トリガイベントに応答し、前記ショートカットウィンドウを前記第１画面上に表示する段階であって、前記ショートカットウィンドウは、少なくとも１つのオブジェクトを含み、各オブジェクトは、１つのエレメントに関連付けられ、前記少なくとも１つのオブジェクトに関連付けられたエレメントは、前記端末にインストールされたアプリケーション、連絡先、設定、リマインダ、またはドキュメントのうちの少なくとも２つを含む、段階と、
前記端末が、前記ショートカットウィンドウ内の少なくとも１つのオブジェクトが選択されたことを検出した後に、選択された前記オブジェクトに関連付けられたエレメントの画面を表示する段階と
を備える方法。
【請求項２】
前記第１画面は、第１アプリケーションの画面である、請求項１に記載の方法。
【請求項３】
前記端末が、前記第１画面を表示しているときに、第２トリガイベントを検出する段階であって、前記第２トリガイベントは、前記第１アプリケーションに関連付けられたオブジェクトを前記ショートカットウィンドウ内にセットすることをトリガするために用いられる、段階と、
前記端末が、前記第２トリガイベントに応答し、前記第１アプリケーションに関連付けられた前記オブジェクトを前記ショートカットウィンドウ内にセットする段階と
をさらに備える、請求項２に記載の方法。
【請求項４】
前記端末が、前記少なくとも１つのオブジェクトのうちｎ個のオブジェクトを予め設定される時間間隔で前記ショートカットウィンドウから削除する段階であって、ｎは、０よりも大きく、前記少なくとも１つのオブジェクトに含まれるオブジェクトの総数以下である正の整数である、段階
をさらに備える、請求項１から３のいずれか一項に記載の方法。
【請求項５】
前記オブジェクトは、前記アプリケーションのアイコン、または、予め設定されるパーセンテージに従って縮小された、前記アプリケーションの、前記端末上で最後に表示された画面のスクリーンショットである、請求項１から４のいずれか一項に記載の方法。
【請求項６】
前記端末が、前記端末にインストールされた少なくとも１つのアプリケーションの特徴が予め設定される特徴と一致することを決定した後に、前記少なくとも１つのアプリケーションに関連付けられたオブジェクトを前記ショートカットウィンドウ内にセットする段階
をさらに備える、請求項１から５のいずれか一項に記載の方法。
【請求項７】
前記端末が、前記ショートカットウィンドウを表示する前記段階の後に、前記方法は、
前記端末が、第３トリガイベントを検出する段階であって、前記第３トリガイベントは、前記ショートカットウィンドウのサイズを調整するために用いられる、段階と、
前記端末が、前記第３トリガイベントに応答し、前記ショートカットウィンドウの前記サイズを調整する段階と
をさらに備える、請求項１から６のいずれか一項に記載の方法。
【請求項８】
前記ショートカットウィンドウ内に含まれるオブジェクトの数が、前記ショートカットウィンドウ内に表示されるオブジェクトの数よりも大きいとき、前記端末が、前記ショートカットウィンドウ内の前記少なくとも１つのオブジェクトが選択されたことを前記検出する前に、前記方法は、
前記端末が、前記ショートカットウィンドウの表示エリア内でのフリック操作を検出する段階と、
前記端末が、前記フリック操作に応答し、前記ショートカットウィンドウ内に表示される少なくとも１つのオブジェクトを切り替え、前記ショートカットウィンドウ内に表示されるオブジェクトが選択された前記少なくとも１つのオブジェクトを含むことを決定する段階と
をさらに備える、請求項１から７のいずれか一項に記載の方法。
【請求項９】
第１画面を表示するよう構成される表示ユニットと、
第１トリガイベントを検出したときに、前記表示ユニットが前記第１トリガイベントに応答することをトリガするよう構成される処理ユニットであって、前記第１トリガイベントは、前記表示ユニットがショートカットウィンドウを前記第１画面上に表示することをトリガするために用いられる、処理ユニットと
を備える端末であって、
前記表示ユニットはさらに、前記第１トリガイベントに応答し、前記ショートカットウィンドウを前記第１画面上に表示するよう構成され、前記ショートカットウィンドウは、少なくとも１つのオブジェクトを含み、各オブジェクトは、１つのエレメントに関連付けられ、前記少なくとも１つのオブジェクトに関連付けられたエレメントは、前記端末にインストールされたアプリケーション、連絡先、設定、リマインダ、またはドキュメントのうちの少なくとも２つを含み、
前記処理ユニットはさらに、前記ショートカットウィンドウ内の少なくとも１つのオブジェクトが選択されたことを検出した後に、前記表示ユニットが選択された前記オブジェクトに関連付けられたエレメントの画面を表示することをトリガするよう構成される、
端末。
【請求項１０】
前記第１画面は、第１アプリケーションの画面である、請求項９に記載の端末。
【請求項１１】
前記処理ユニットはさらに、
前記第１画面を表示しているときに、前記表示ユニットにより、第２トリガイベントを検出し、前記第２トリガイベントに応答するよう構成され、前記第２トリガイベントは、前記第１アプリケーションに関連付けられたオブジェクトを前記ショートカットウィンドウ内にセットすることをトリガするために用いられる、
請求項１０に記載の端末。
【請求項１２】
前記処理ユニットはさらに、
前記少なくとも１つのオブジェクトのうちｎ個のオブジェクトを予め設定される時間間隔で前記ショートカットウィンドウから削除するよう構成され、ｎは、０よりも大きく、前記少なくとも１つのオブジェクトに含まれるオブジェクトの総数以下である正の整数である、
請求項９から１１のいずれか一項に記載の端末。
【請求項１３】
前記オブジェクトは、前記アプリケーションのアイコン、または、予め設定されるパーセンテージに従って縮小された、前記アプリケーションの、前記端末上で最後に表示された画面のスクリーンショットである、請求項９から１２のいずれか一項に記載の端末。
【請求項１４】
前記処理ユニットはさらに、
前記端末にインストールされた少なくとも１つのアプリケーションの特徴が予め設定される特徴と一致することを決定した後に、前記少なくとも１つのアプリケーションに関連付けられたオブジェクトを前記ショートカットウィンドウ内にセットするよう構成される、
請求項９から１３のいずれか一項に記載の端末。
【請求項１５】
前記処理ユニットはさらに、
前記表示ユニットが前記ショートカットウィンドウを表示した後に、前記ショートカットウィンドウのサイズを調整するために用いられる第３トリガイベントを検出し、前記第３トリガイベントに応答し、前記ショートカットウィンドウの前記サイズを調整するよう構成される、
請求項９から１４のいずれか一項に記載の端末。
【請求項１６】
前記ショートカットウィンドウ内に含まれるオブジェクトの数が、前記ショートカットウィンドウ内に表示されるオブジェクトの数よりも大きいとき、前記処理ユニットはさらに、
前記ショートカットウィンドウ内の前記少なくとも１つのオブジェクトが選択されたことを検出する前に、前記ショートカットウィンドウの表示エリア内でのフリック操作を検出し、前記フリック操作に応答し、前記ショートカットウィンドウ内に表示される少なくとも１つのオブジェクトを切り替え、前記ショートカットウィンドウ内に表示されるオブジェクトが選択された前記少なくとも１つのオブジェクトを含むことを決定するよう構成される、
請求項９から１５のいずれか一項に記載の端末。
【発明の詳細な説明】
【技術分野】
【０００１】
本発明は、電子製品アプリケーションの分野に関し、特に画面表示方法および端末に関する。
【背景技術】
【０００２】
モバイルインターネットならびにスマートフォンおよびタブレットコンピュータなどのインテリジェント端末の発達に伴い、インテリジェント端末にインストールするための多数のアプリケーションソフトウェアが出現しており、それにより人々の生活に利便性がもたらされている。
【０００３】
ユーザは通常、ユーザの実際の必要性に応じて、複数のアプリケーションを端末にインストールする場合がある。端末のデスクトップ上に表示されている画面がゲームアプリケーションの画面であるときに、ユーザが例えばＷｅＣｈａｔのような別のアプリケーションに入る必要がある場合、ユーザは、ゲームアプリケーションの画面を終了させ、デスクトップに戻って、デスクトップ上に表示されるアプリケーションからＷｅＣｈａｔアプリケーションを見つける必要がある。ユーザは次いで、ＷｅＣｈａｔアプリケーションのアイコンを選択する。端末は、ＷｅＣｈａｔアプリケーションのアイコンが選択されたことを検出したときに、ＷｅＣｈａｔアプリケーションに入る。あるいは、図１に示すように、端末のデスクトップ上に表示されている画面がゲームアプリケーションの画面であり、ユーザが入る必要があるＷｅＣｈａｔアプリケーションがバックグラウンド起動しているとき、端末は、ユーザによるトリガによって、バックグラウンド起動しているアプリケーションの複数の画面をディスプレイ画面上に一列に表示する場合がある。第１画面がゲームアプリケーションの画面であり、第２画面がバックグラウンド起動しているＷｅＣｈａｔアプリケーションの画面である場合、ユーザは、第２画面を全画面で表示するために、ディスプレイ画面を右フリックし、第２画面を第１画面の位置まで移動させ、次いで第２画面をタップする必要がある。それにより、ゲームアプリケーションの現在の画面からＷｅＣｈａｔアプリケーションの画面への切り替えが行われる。
【０００４】
加えて、従来技術においては、端末上に表示されている画面がアプリケーションの画面または別の画面（デスクトップを除く）であるとき、ユーザがファイル（音楽またはオフィスドキュメントなど）を開くまたはリマインダをチェックする必要がある場合、ユーザは、デスクトップに戻るための操作を端末に対して行う必要があり、次いで開く必要があるファイルまたはリマインダを見つける。ユーザは次いで、ファイルまたはリマインダに対して対応する操作を行って、ファイルまたはリマインダの画面を開く。
【０００５】
要するに、従来技術においては、ユーザが端末上に表示している画面がデスクトップでないとき、現在の画面から別のコンテンツ（アプリケーション、ファイル、またはリマインダなど）の画面に切り替える方式が、比較的複雑である。
【発明の概要】
【０００６】
本発明は、端末上に表示されている画面がデスクトップでないとき、ユーザが現在の画面から他のコンテンツの画面に切り替える方式が比較的複雑であるという従来技術の課題を解決するべく、画面表示方法および端末を提供する。
【０００７】
第１態様によれば、画面表示方法であって、端末が、第１画面を表示しているときに、第１トリガイベントを検出し、第１トリガイベントに応答してショートカットウィンドウを第１画面上に表示する段階であって、ショートカットウィンドウは、少なくとも１つのオブジェクトを含み、各オブジェクトは、１つのエレメントに関連付けられ、少なくとも１つのオブジェクトに関連付けられたエレメントは、端末にインストールされたアプリケーション、連絡先、設定、リマインダ、またはドキュメントのうちの１または複数を含む、段階と、端末が、ショートカットウィンドウ内の少なくとも１つのオブジェクトが選択されたことを検出した後に、選択されたオブジェクトに関連付けられたエレメントの画面を表示する段階とを備える方法が提供される。本発明の実施形態においては、ショートカットウィンドウを第１画面上に表示することができ、ショートカットウィンドウは、少なくとも１つのオブジェクトを含み、ショートカットウィンドウのオブジェクトを選択することによってエレメントの画面に直接的に入ることができ、エレメントは、端末にインストールされたアプリケーション、連絡先、設定、リマインダ、またはドキュメントのうちの１または複数であってよい。従って、第１画面から別のエレメントの画面に迅速に入る方式が提供される。ショートカットウィンドウ内のオブジェクトに関連付けられたエレメントが、ＷｅＣｈａｔまたはブラウザなどの、端末にインストールされたアプリケーションであるとき、ユーザは、ショートカットウィンドウを第１画面上に直接呼び出すこと、およびショートカットウィンドウ内のオブジェクトを用いることにより、別のアプリケーションの画面に直接的に入り得る。これにより、従来技術と比較して、第１画面から別のアプリケーションの画面に入る方式が簡略化され、それによりユーザエクスペリエンスが改善される。
【０００８】
好ましくは、ショートカットウィンドウ内に含まれるオブジェクトに関連付けられた、端末にインストールされたアプリケーションは、ユーザが常用するアプリケーションであり、ショートカットウィンドウ内に含まれるオブジェクトを用いてユーザが常用するアプリケーションに直接的に入ることは、ユーザにとって簡便であり、それによりユーザエクスペリエンスが改善される。
【０００９】
本発明の本実施形態において、第１画面は、デスクトップであってもよく、またはアプリケーションの画面であってもよいことに留意されたい。加えて、第１画面がデスクトップであるとき、ユーザが開く必要があるアプリケーションを、デスクトップ上の比較的多数のアプリケーションから見つけることが回避され得る。これにより、ユーザエクスペリエンスが改善される。
【００１０】
第１態様に基づくと、任意選択的に、第１画面が第１アプリケーションの画面であるとき、ユーザは、ショートカットウィンドウを用いて、第１画面から別のエレメントの画面に迅速に切り替え得る。これにより、ユーザが１つのアプリケーションの画面から別のアプリケーションの画面に端末上で迅速に切り替えるとき、これらのアプリケーションがバックグラウンド起動しているアプリケーションに限定されるという従来技術の課題が回避される。
【００１１】
第１態様に基づくと、本発明の一実施形態はさらに、オブジェクトがショートカットウィンドウに手動で追加される方式であって、端末が、第１画面を表示しているときに、第２トリガイベントを検出し、第２トリガイベントに応答し、第１オブジェクトをショートカットウィンドウ内にセットし、第２トリガイベントは、第１オブジェクトをショートカットウィンドウ内にセットすることをトリガするために用いられ、第１オブジェクトは、第１アプリケーションに関連付けられる、方式を提供する。
【００１２】
ユーザは、ユーザの必要性に応じてオブジェクトをショートカットウィンドウに追加することができ、従ってこれにより、ユーザの必要性をより良好に満たし、ユーザエクスペリエンスを改善することができる。
【００１３】
ユーザが、開始する必要があるアプリケーションに関連付けられたオブジェクトをショートカットウィンドウ内で迅速に見つけることができるよう、ショートカットウィンドウ内のアプリケーションの数は多過ぎないものとすべきである。具体的には、端末は、当該少なくとも１つのオブジェクトのうちｎ個のオブジェクトを予め設定される時間間隔でショートカットウィンドウから削除し、ｎは、０よりも大きく、当該少なくとも１つのオブジェクトに含まれるオブジェクトの総数以下である正の整数である。
【００１４】
端末によりショートカットウィンドウから削除されるｎ個のオブジェクトは、予め設定される条件を満たす。例えば、当該ｎ個のオブジェクトに関連付けられたアプリケーションの使用回数は、次の期間において、予め設定される閾値よりも小さい。例えば、当該予め設定される閾値は１に設定され、ＷｅＣｈａｔアプリケーションに関連付けられたオブジェクトがショートカットウィンドウ内に現在セットされていると仮定する。しかしながら、現在の時点から２時間の間におけるユーザによるＷｅＣｈａｔアプリケーションの使用回数が、１よりも小さい。すなわち、ユーザは、この期間においてＷｅＣｈａｔアプリケーションを開始しない場合がある。従って、ショートカットウィンドウ内のオブジェクトの数が多過ぎることによりユーザエクスペリエンスが悪化することを回避するべく、端末は、この期間において、ＷｅＣｈａｔアプリケーションに関連付けられたオブジェクトを削除してよい。
【００１５】
第１態様に基づくと、任意選択的に、オブジェクトに関連付けられたエレメントが端末にインストールされたアプリケーションであるとき、オブジェクトは、アプリケーションのアイコン、または、予め設定されるパーセンテージに従って縮小された、アプリケーションの、端末上で最後に表示された画面のスクリーンショットである。
【００１６】
オブジェクトはアイコンまたはスクリーンショットであり、従ってオブジェクトがユーザにより明確に識別されることができる。
【００１７】
加えて、オブジェクトに関連付けられたエレメントがリマインダ、連絡先、設定、およびドキュメントであるとき、オブジェクトは、直接的にリマインダ、連絡先、設定、およびドキュメントであってよい。例えば、ドキュメントが音楽ファイルであるとき、オブジェクトは音楽ファイルであり、またはオブジェクトは、リマインダ、連絡先、設定、およびドキュメントのアイコンである。
【００１８】
第１態様に基づくと、任意選択的に、本発明の一実施形態はさらに、オブジェクトがショートカットウィンドウに自動で追加される方式であって、端末にインストールされた少なくとも１つのエレメントの特徴が予め設定される特徴と一致することを決定したときに、端末が、当該少なくとも１つのエレメントに関連付けられたオブジェクトをショートカットウィンドウ内にセットする方式を提供する。
【００１９】
端末は、予め設定される特徴と一致するエレメントに関連付けられたオブジェクトをショートカットウィンドウ内に自動でセットすることができ、それによりユーザの積極的な操作が減り、ユーザに利便性がもたらされる。
【００２０】
第１態様に基づくと、任意選択的に、端末が、ショートカットウィンドウを表示した後に、ショートカットウィンドウのサイズを調整するために用いられる第３トリガイベントを検出し、第３トリガイベントに応答することで、ショートカットウィンドウのサイズを調整する。
【００２１】
端末がショートカットウィンドウを表示しているときに、より多くのオブジェクトをショートカットウィンドウ内に表示できるようにショートカットウィンドウのサイズを調整することができ、それによりユーザがオブジェクトを容易にチェックすることが可能となる。第１態様においては、より少数のオブジェクトをショートカットウィンドウ内に表示できるようにショートカットウィンドウのサイズを調整することができ、それにより第１画面をチェックする際のユーザに対するショートカットウィンドウによる影響が低減され、ユーザエクスペリエンスが改善される。
【００２２】
加えて、本発明の本実施形態において、ユーザはさらに、端末上におけるショートカットウィンドウの表示位置を調整してよいことに留意されたい。
【００２３】
第１態様に基づくと、任意選択的に、ショートカットウィンドウ内に含まれるオブジェクトの数がショートカットウィンドウ内に表示されるオブジェクトの数よりも大きいとき、端末が、ショートカットウィンドウの表示エリア内でのフリック操作を検出し、フリック操作に応答し、ショートカットウィンドウ内に表示される少なくとも１つのオブジェクトを切り替え、ショートカットウィンドウ内に表示されるオブジェクトが選択された少なくとも１つのオブジェクトを含むことを決定する。
【００２４】
ショートカットウィンドウの表示エリアのサイズは限られており、従って、ショートカットウィンドウ内に含まれるオブジェクトの数が比較的多いときは、全てのオブジェクトがショートカットウィンドウ内に表示されるときに異常な表示を引き起こしやすく、ユーザがオブジェクトを見つけることが難しい。しかしながら、一部のオブジェクトがショートカットウィンドウ内に表示されるときは、ショートカットウィンドウ内に表示されるオブジェクトがフリック操作により切り替えられ、それにより、選択する必要があるオブジェクトをユーザが容易に見つけることが可能となり、ユーザエクスペリエンスが改善される。
【００２５】
第２態様によれば、画面表示端末が提供され、端末は、表示ユニットおよび処理ユニットを備え、表示ユニットは、第１画面を表示するよう構成され、処理ユニットは、第１トリガイベントを検出したときに、表示ユニットが第１トリガイベントに応答することをトリガするよう構成され、第１トリガイベントは、表示ユニットがショートカットウィンドウを第１画面上に表示することをトリガするために用いられ、表示ユニットはさらに、第１トリガイベントに応答し、ショートカットウィンドウを第１画面上に表示するよう構成され、ショートカットウィンドウは、少なくとも１つのオブジェクトを含み、各オブジェクトは、１つのエレメントに関連付けられ、当該少なくとも１つのオブジェクトに関連付けられたエレメントは、端末にインストールされたアプリケーション、連絡先、設定、リマインダ、またはドキュメントのうちの少なくとも２つを含み、処理ユニットはさらに、ショートカットウィンドウ内の少なくとも１つのオブジェクトが選択されたことを検出した後に、表示ユニットが選択されたオブジェクトに関連付けられたエレメントの画面を表示することをトリガするよう構成される。
【００２６】
第２態様に基づくと、任意選択的に、第１画面は、第１アプリケーションの画面である。
【００２７】
第２態様に基づくと、任意選択的に、処理ユニットはさらに、第１画面を表示しているときに、表示ユニットにより、第２トリガイベントを検出し、第２トリガイベントに応答するよう構成され、第２トリガイベントは、第１アプリケーションに関連付けられたオブジェクトをショートカットウィンドウ内にセットすることをトリガするために用いられる。
【００２８】
第２態様に基づくと、任意選択的に、処理ユニットはさらに、当該少なくとも１つのオブジェクトのうちｎ個のオブジェクトを予め設定される時間間隔でショートカットウィンドウから削除するよう構成され、ｎは、０よりも大きく、当該少なくとも１つのオブジェクトに含まれるオブジェクトの総数以下である正の整数である。
【００２９】
第２態様に基づくと、任意選択的に、オブジェクトは、アプリケーションのアイコン、または、予め設定されるパーセンテージに従って縮小された、アプリケーションの、端末上で最後に表示された画面のスクリーンショットである。
【００３０】
第２態様に基づくと、任意選択的に、処理ユニットはさらに、端末にインストールされた少なくとも１つのアプリケーションの特徴が予め設定される特徴と一致することを決定した後に、当該少なくとも１つのアプリケーションに関連付けられたオブジェクトをショートカットウィンドウ内にセットするよう構成される。
【００３１】
第２態様に基づくと、任意選択的に、処理ユニットはさらに、表示ユニットがショートカットウィンドウを表示した後に、ショートカットウィンドウのサイズを調整するために用いられる第３トリガイベントを検出し、第３トリガイベントに応答し、ショートカットウィンドウのサイズを調整するよう構成される。
【００３２】
第２態様に基づくと、任意選択的に、ショートカットウィンドウ内に含まれるオブジェクトの数がショートカットウィンドウ内に表示されるオブジェクトの数よりも大きいとき、処理ユニットはさらに、ショートカットウィンドウ内の少なくとも１つのオブジェクトが選択されたことを検出する前に、ショートカットウィンドウの表示エリア内でのフリック操作を検出し、フリック操作に応答し、ショートカットウィンドウ内に表示される少なくとも１つのオブジェクトを切り替え、ショートカットウィンドウ内に表示されるオブジェクトが選択された少なくとも１つのオブジェクトを含むことを決定するよう構成される。
【００３３】
第３態様によれば、本発明の一実施形態はさらに、端末デバイスを提供し、端末デバイスは、プロセッサおよびメモリを備え、メモリは、ソフトウェアプログラムを格納するよう構成され、プロセッサは、メモリに格納されたソフトウェアプログラムを読み込み、第１態様において提供される方法または第１態様の任意の実現形態を実現するよう構成される。
【００３４】
第４態様によれば、本発明の一実施形態はさらに、コンピュータ記憶媒体を提供し、記憶媒体は、不揮発性であってよく、すなわち、電力障害の場合に記憶媒体内のコンテンツが失われない。記憶媒体は、ソフトウェアプログラムを格納し、ソフトウェアプログラムが１または複数のプロセッサにより読み込まれて実行されたときに、第１態様において提供される方法または第１態様の任意の実現形態が実現されてよい。
【図面の簡単な説明】
【００３５】
【図１】従来技術における、バックグラウンド起動している複数のアプリケーションの画面の表示の概略図である。
【００３６】
【図２】本発明の一実施形態に係る端末のハードウェア構造の概略図である。
【００３７】
【図３】本発明の一実施形態に係る画面表示方法の概略フローチャートである。
【００３８】
【図４ａ】本発明の一実施形態に係るショートカットウィンドウの概略図である。
【図４ｂ】本発明の一実施形態に係るショートカットウィンドウの概略図である。
【図４ｃ】本発明の一実施形態に係るショートカットウィンドウの概略図である。
【図４ｄ】本発明の一実施形態に係るショートカットウィンドウの概略図である。
【図４ｅ】本発明の一実施形態に係るショートカットウィンドウの概略図である。
【図４ｆ】本発明の一実施形態に係るショートカットウィンドウの概略図である。
【図４ｇ】本発明の一実施形態に係るショートカットウィンドウの概略図である。
【図４ｈ】本発明の一実施形態に係るショートカットウィンドウの概略図である。
【図４ｉ】本発明の一実施形態に係るショートカットウィンドウの概略図である。
【００３９】
【図５】本発明の一実施形態に係るショートカットウィンドウの概略図である。
【００４０】
【図６】本発明の一実施形態に係る端末の概略構造図である。
【発明を実施するための形態】
【００４１】
本発明の目的、技術的解決手段、および利点をより明確にするべく、以下でさらに、添付の図面に関連して本発明を詳細に説明する。
【００４２】
本発明の実施形態における画面表示方法は、主に端末に適用されることを理解されたい。端末は、ＵＥ（Ｕｓｅｒ  Ｅｑｕｉｐｍｅｎｔ、ユーザ機器）、ＭＳ（Ｍｏｂｉｌｅ  Ｓｔａｔｉｏｎ、移動局）、および移動端末（Ｍｏｂｉｌｅ  Ｔｅｒｍｉｎａｌ）等とも称される場合がある。任意選択的に、端末は、携帯電話、タブレットコンピュータ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売時点情報管理）、車載コンピュータ、またはセットトップボックス等であってよい。
【００４３】
本発明の実施形態における画面表示方法によれば、ショートカットウィンドウを第１画面上に表示することができ、ショートカットウィンドウは、少なくとも１つのオブジェクトを含み、ショートカットウィンドウのオブジェクトを選択することによってエレメントの画面に直接的に入ることができ、エレメントは、端末にインストールされたアプリケーション、連絡先、設定、リマインダ、またはドキュメントのうちの１または複数であってよい。従って、第１画面から別のエレメントの画面に入る方式が提供される。ショートカットウィンドウ内のオブジェクトに関連付けられたエレメントが、ＷｅＣｈａｔまたはブラウザなどの、端末にインストールされたアプリケーションであるとき、ユーザは、ショートカットウィンドウを第１画面上に直接呼び出すこと、およびショートカットウィンドウ内のオブジェクトを用いることにより、別のアプリケーションの画面に直接的に入り得る。これにより、従来技術と比較して、第１画面から別のアプリケーションの画面に入る方式が簡略化され、それによりユーザエクスペリエンスが改善される。
【００４４】
好ましくは、ショートカットウィンドウ内に含まれるオブジェクトに関連付けられた、端末にインストールされたアプリケーションは、ユーザが常用するアプリケーションである。
【００４５】
ショートカットウィンドウ内のオブジェクトに関連付けられたエレメントは、バックグラウンド起動していてもよく、またはバックグラウンド起動していなくてもよいことに留意されたい。例えば、ショートカットウィンドウ内のオブジェクトに関連付けられたエレメントがアプリケーションであるとき、アプリケーションは、バックグラウンド起動していてもよく、またはバックグラウンド起動していなくてもよい。ショートカットウィンドウ内のオブジェクトに関連付けられたアプリケーションは、端末にインストールされたアプリケーションである。
【００４６】
ショートカットウィンドウ内に表示される複数のオブジェクトに関連付けられる複数のエレメントは、同じタイプのものであってもよく、例えばこれらのエレメントは全てアプリケーションであり、または異なるタイプの混合、例えばアプリケーションおよび画像の混合であってもよいことに留意されたい。図２を参照すると、図２は、本発明の一実施形態が適用される端末のハードウェア構造の概略図である。端末２００は、表示デバイス２１０、プロセッサ２２０、およびメモリ２３０を含む。表示デバイス２１０は、ユーザにより入力される情報またはユーザに提供される情報、および端末２００の様々な操作画面等を表示するよう構成されるディスプレイパネル２１１を含む。本発明の本実施形態において、ディスプレイパネル２１１は主に、画面、デスクトップ、および端末１００にインストールされたアプリケーションのショートカットウィンドウ、ならびにショートカットウィンドウ内に含まれる少なくとも１つのオブジェクト等を表示するよう構成される。任意選択的に、ディスプレイパネル２１１は、ＬＣＤ（Ｌｉｑｕｉｄ  Ｃｒｙｓｔａｌ  Ｄｉｓｐｌａｙ、液晶ディスプレイ）またはＯＬＥＤ（Ｏｒｇａｎｉｃ  Ｌｉｇｈｔ−Ｅｍｉｔｔｉｎｇ  Ｄｉｏｄｅ、有機発光ダイオード）などの形態で構成されてよい。
【００４７】
プロセッサ２２０は、コンピュータプログラムを読み込み、コンピュータプログラムにより定義される方法を実行するよう構成される。例えば、プロセッサ２２０は、１または複数のアプリケーションプログラムを読み込むことで、アプリケーションを端末１００上に起動し、アプリケーションの画面を表示デバイス２１０上に表示する。プロセッサ２２０は、１または複数の汎用プロセッサを含んでよく、本発明の本実施形態において提供される技術的解決手段を実現するべく、対応する操作を実行するよう構成される１または複数のＤＳＰ（Ｄｉｇｉｔａｌ  Ｓｉｇｎａｌ  Ｐｒｏｃｅｓｓｏｒ、デジタルシグナルプロセッサ）をさらに含んでよい。
【００４８】
メモリ２３０は通常、内部メモリおよび外部メモリを含む。内部メモリは、ランダムアクセスメモリ（ＲＡＭ）、リードオンリメモリ（ＲＯＭ）、またはキャッシュ（ＣＡＣＨＥ）等であってよい。外部メモリは、ハードディスク、光ディスク、ＵＳＢフラッシュドライブ、フロッピーディスク、またはテープドライブ等であってよい。メモリ２３０は、コンピュータプログラムおよび他のデータ２３３を格納するよう構成される。コンピュータプログラムは、オペレーティングシステム２３２およびアプリケーションプログラム２３１を含む。他のデータ２３３は、オペレーティングシステム２３２、またはアプリケーションプログラム２３１が動作した後に取得されるデータを含んでよい。データは、システムデータ（例えば、オペレーティングシステムのコンフィギュレーションパラメータ）およびユーザデータを含み、例えばユーザにより撮影された画像は、典型的なユーザデータである。本発明の本実施形態において、ショートカットウィンドウ、ショートカットウィンドウ内に含まれる少なくとも１つのオブジェクト、ショートカットウィンドウ内に含まれるオブジェクトに関連付けられたエレメントが、メモリ２３０に格納される。端末２００が第１トリガイベントを検出していないとき、ショートカットウィンドウは第１画面上に表示されない。端末２００は、第１トリガイベントを検出したときにのみ、ショートカットウィンドウおよびショートカットウィンドウ内に含まれる少なくとも１つのオブジェクトをメモリ２３０から呼び出し、ショートカットウィンドウとショートカットウィンドウ内に含まれる少なくとも１つのオブジェクトとを表示デバイス２１０上に表示する。
【００４９】
加えて、端末２００は、入力されるデジタル情報、特徴情報、または接触タッチ操作／非接触ジェスチャを受け取ること、および端末２００のユーザ設定および機能制御に関連する信号入力を生成すること等を行うよう構成される入力デバイス２４０をさらに含んでよい。具体的には、本発明の本実施形態において、入力デバイス２４０は、タッチパネル２４１を含んでよい。タッチパネル２４１は、タッチスクリーンとも称され、タッチパネル２４１上またはその付近でのユーザのタッチ操作（例えば、指またはスタイラスなどの任意の適切な物体またはアクセサリを用いたタッチパネル２４１上またはタッチパネル２４１付近でのユーザの操作）を収集することができ、予め設定されるプログラムに従って対応する接続装置を駆動することができる。任意選択的に、タッチパネル２４１は、タッチ検出装置およびタッチコントローラの２つの部分を含んでよい。タッチ検出装置は、ユーザのタッチ位置を検出し、タッチ操作により生成される信号を検出し、信号をタッチコントローラへ伝達する。タッチコントローラは、タッチ検出装置からタッチ情報を受け取り、タッチ情報をタッチ点座標に変換し、次いでタッチ点座標をプロセッサ２２０へ送り、またプロセッサ２２０により送られるコマンドを受け取って実行することができる。本発明の本実施形態において、第１トリガイベントが第１ジェスチャである場合、タッチパネル２４１内のタッチ検出装置は、タッチ操作を検出し、検出されたタッチ操作に対応する信号をタッチコントローラへ送る。タッチコントローラは、信号をタッチ点座標に変換し、タッチ点座標をプロセッサ２２０へ送る。プロセッサ２２０は、受け取ったタッチ点座標に従ってタッチ操作を第１ジェスチャとして決定し、第１ジェスチャに応答する。具体的には、ショートカットウィンドウとショートカットウィンドウ内に含まれる少なくとも１つのオブジェクトとがメモリ２３０から呼び出され、ショートカットウィンドウとショートカットウィンドウ内に含まれる少なくとも１つのオブジェクトとが表示デバイス２１０上に表示される。
【００５０】
タッチパネル２４１は、抵抗タイプ、静電容量タイプ、赤外線、および弾性表面波などの複数のタイプとして実現されてよい。本発明の本実施形態において、タッチパネル２４１は、タッチディスプレイ画面を形成するようディスプレイパネル２１１を被覆してよいことを理解されたい。入力ユニット２４０は、タッチパネル２４１に加えて、別の入力デバイス２４２をさらに含んでよく、別の入力デバイス２４２は、物理キーボード、機能キー（ボリューム制御キーまたはｏｎ／ｏｆｆキーなど）、トラックボール、マウス、または操作ロッドのうちの１または複数を含んでよいが、これらに限定されない。従って、本発明の本実施形態において、第１トリガイベントは、第１ジェスチャに限定されず、さらに物理ボタン等であってよい。
【００５１】
加えて、端末２００は、他のモジュールに電力を供給するよう構成される電源２５０と、画像を撮影または動画を録画するよう構成されるカメラ２６０とをさらに含んでよい。端末２００は、加速度センサ、光センサ、および圧力センサなどの１または複数のセンサ２７０をさらに含んでよい。従って、本発明の本実施形態において、第１トリガイベントはさらに、端末２００が表示デバイス２１０の特定の領域内において圧力を検出すること等であってよい。具体的には、端末２００は、ワイヤレスネットワークデバイスとネットワーク通信を行うよう構成される無線周波数（Ｒａｄｉｏ  Ｆｒｅｑｕｅｎｃｙ、ＲＦ）回路２８０をさらに含んでよく、別のデバイスとＷｉ−Ｆｉ通信を行うよう構成されるＷｉ−Ｆｉモジュール２９０をさらに含んでよい。
【００５２】
図中には示していないが、端末２００はカメラフラッシュ等をさらに含んでよい。詳細はここでは改めて説明しない。
【００５３】
具体的には、図３に示すように、本発明の一実施形態に係る画面表示方法は、以下の段階を備える。
【００５４】
段階３００：端末が、第１画面を表示しているときに、第１トリガイベントを検出する。第１トリガイベントは、ショートカットウィンドウを第１画面上に表示することをトリガするために用いられる。
【００５５】
段階３００において、第１画面は、デスクトップであってもよく、アプリケーションの画面であってもよく、またはファイルの画面（例えばｗｏｒｄドキュメントの画面）であってもよい。第１トリガイベントは、表示エリア内での特定のタッチジェスチャ（例えば３本指でのスワイプ）、特定の音、表示エリアの特定の領域内での感圧操作、特定の物理ボタンの選択、特定の指紋の識別、赤外線または超音波を用いたフローティングタッチの識別、または圧力スクリーン等であってよい。
【００５６】
第１トリガイベントが表示エリア上での特定のタッチジェスチャであるとき、ユーザは、必要性に応じて、端末内でタッチジェスチャを定義してよい。第１トリガイベントが特定の音であるとき、ユーザは、必要性に応じて、端末内で音を定義してよい。
【００５７】
段階３０１：端末が、第１トリガイベントに応答し、ショートカットウィンドウを第１画面上に表示する。ショートカットウィンドウは、少なくとも１つのオブジェクトを含み、各オブジェクトは、１つのエレメントに関連付けられ、少なくとも１つのオブジェクトに関連付けられたエレメントは、端末にインストールされたアプリケーション、連絡先、設定、リマインダ、またはドキュメントのうちの少なくとも２つを含む。
【００５８】
加えて、ショートカットウィンドウ内に含まれるオブジェクトに関連付けられたエレメントはさらに、端末にインストールされたアプリケーション、連絡先、設定、リマインダ、またはドキュメントのうちの１つのみであってよい。
【００５９】
本発明の本実施形態において、オブジェクトに関連付けられたエレメントが端末にインストールされたアプリケーションであるとき、オブジェクトは、エレメントのアイコン、または、予め設定されるパーセンテージに従って縮小された、エレメントの、端末上で最後に表示された画面のスクリーンショットであることに留意されたい。例えば、エレメントが端末にインストールされたＷｅＣｈａｔであるとき、オブジェクトは、ＷｅＣｈａｔのアイコン、または、予め設定されるパーセンテージに従って縮小された、ＷｅＣｈａｔの、端末上で最後に表示された画面のスクリーンショットであってよい。ディスプレイ画面上で最後に表示された画面が動画面である場合、スクリーンショットは、動的なスクリーンショットであってもよく、または静的なスクリーンショットであってもよい。
【００６０】
加えて、オブジェクトはさらに、音楽ファイル、またはドキュメント等であってよい。
【００６１】
比較的多数のアプリケーションが端末にインストールされ、比較的多数のドキュメントが端末に格納されているとき、アプリケーションの、端末上に表示されるアイコンの数が比較的多くなり、これはユーザがアイコンを見つけるのに簡便でない。ユーザが常用するアプリケーションのオブジェクトまたはドキュメントのオブジェクトが、ショートカットウィンドウ内にセットされてよい。ユーザは、第１トリガイベントを用いてショートカットウィンドウを呼び出してよい。端末のデスクトップ上のアイコンと比較すると、ショートカットウィンドウ内に含まれるオブジェクトの数は、比較的小さい。従って、ユーザがアイコンを迅速に見つけることが簡便になり、それによりユーザエクスペリエンスがさらに改善される。
【００６２】
具体的には、第１画面にショートカットウィンドウを表示させることをトリガするために３本指でスワイプすることを一例として用いる。端末が第１トリガイベントに応答する前は、ショートカットウィンドウは第１画面上に表示されない。ショートカットウィンドウ内に含まれるオブジェクトの数は、ショートカットウィンドウ内に表示できるオブジェクトの数よりも大きくてよい。従って、任意選択的に、ショートカットウィンドウ内に含まれるオブジェクトの数がショートカットウィンドウ内に表示されるオブジェクトの数よりも大きいとき、端末は、ショートカットウィンドウの表示エリア内でのフリック操作を検出し、次いでフリック操作に応答し、ショートカットウィンドウ内に表示される少なくとも１つのオブジェクトを切り替え、ショートカットウィンドウ内に表示されるオブジェクトが選択された少なくとも１つのオブジェクトを含むことを決定する。
【００６３】
例えば、端末は、図４ａに示す方式で、ショートカットウィンドウを第１画面上に表示する。図４ａにおいて、ショートカットウィンドウを表すのに４００を用い、オブジェクトを表すのに４０１を用いる。具体的には、４００内にセットできるオブジェクトの最大数は、種々の必要性に応じて設定されてよい。図４ａに示すように、最大４つのオブジェクトがショートカットウィンドウ４００の各列内にセットされてよく、最大８つのオブジェクトをページ上に表示することができる。すなわち、図４ｂに示すように、ショートカットウィンドウの表示エリアが最大８つのオブジェクトを表示できるときであって、セットされるオブジェクトの数が８よりも大きいとき、２つのページを用いてオブジェクトがセットされてよく、左右フリックによって異なるページが切り替えられてよい。図４ｂに示すように、端末は、左フリックによって破線のボックスのページに切り替わってよい。加えて、図４ｃに示すように、左右フリックによってショートカットウィンドウ内のオブジェクトが表示される。あるいは、図４ｄの下部に示すように、上下フリックによってショートカットウィンドウ内のオブジェクトが表示される。図４ｃの下部のプログレスバーおよび図４ｄの右側のプログレスバーは、ショートカットウィンドウ内にセットされる全てのオブジェクトのうち現在表示されているオブジェクトの位置を表すために用いられる。
【００６４】
本発明の本実施形態において、ショートカットウィンドウ内に表示できるオブジェクトが調整される方式は、ショートカットウィンドウ内に含まれるオブジェクトに関連付けられたエレメントのタイプに限定されない。例えば、ショートカットウィンドウ内に含まれるオブジェクトが、インストールされたアプリケーションのみに関連付けられているときも、ショートカットウィンドウ内に表示できるオブジェクトは、本発明の本実施形態における方式に従って調整されてよい。
【００６５】
本発明の本実施形態において、ショートカットウィンドウのサイズおよび表示エリア内におけるショートカットウィンドウの位置は、限定されない。図４ｅに示すように、ショートカットウィンドウは、表示エリアの中央にある。図４ｆに示すショートカットウィンドウは、全画面で表示される。
【００６６】
第１画面がデスクトップであるとき、ショートカットウィンドウはさらに、デスクトップのＤｏｃｋ領域内に表示されてよい。図４ｈに示すように、ショートカットウィンドウ内に表示されるオブジェクトは、左右フリックにより変更される。
【００６７】
任意選択的に、ショートカットウィンドウ内のオブジェクトの数が多過ぎることを回避するために、ショートカットウィンドウ内にセットできるオブジェクトの最大数が予め設定されてよい。
【００６８】
加えて、端末は、ユーザによりトリガされる第３トリガイベントに従って、ショートカットウィンドウのサイズを調整してよい。具体的には、端末は、ショートカットウィンドウを表示した後に、ショートカットウィンドウのサイズを調整するために用いられる第３トリガイベントを検出し、第３トリガイベントに応答し、ショートカットウィンドウのサイズを調整する。第３トリガイベントは、例えばフリック操作のような操作であってよい。例えば、ショートカットウィンドウの初期サイズが図４ｆに示されており、ユーザによりトリガされる操作によって、ショートカットウィンドウのサイズが図４ｅに示すものに調整される。ショートカットウィンドウの図４ｆに示す対角線ａを一例として用い、ユーザによりトリガされる操作が、対角線ａの両端から中央へと同時に近づけるものである場合、ショートカットウィンドウの長さおよび幅が同時に縮小される。具体的には、図４ｇに示すように、ユーザが対角線ａの両端から中央へと同時に１ｃｍスライドして止めるとき、ショートカットウィンドウ４００は、ショートカットウィンドウ４２０に縮小される。オブジェクトは同じパーセンテージに従って縮小されてよく、またはオブジェクトのサイズは変更されないままとなる。ショートカットウィンドウがより小さいときは、一列内のオブジェクトの数が減少してよい。例えば、初期状態では一列内に３つのオブジェクトが表示され、ショートカットウィンドウが縮小された後には一列内に１つまたは２つのオブジェクトが表示される。加えて、水平方向または鉛直方向におけるショートカットウィンドウのサイズはさらに、直接的に縮小されてよい。
【００６９】
任意選択的に、本発明の本実施形態において、ショートカットウィンドウが全画面でないとき、ショートカットウィンドウの位置が、ユーザによりトリガされる操作に従って移動されてよい。具体的には、当該操作は、ショートカットウィンドウの特定の領域内でのフリック操作であってよい。例えば、フリック操作は左から右への指のフリックであり、ショートカットウィンドウは右方に移動する。具体的には、ショートカットウィンドウは、実際の水平移動距離に基づいて移動してよく、すなわちショートカットウィンドウは指のフリックと共に移動する。ショートカットウィンドウが端末の表示エリアの外に移動するとき、端末の表示エリアの外に移動するショートカットウィンドウの一部が隠れる。ショートカットウィンドウが端末の表示エリアの外に移動した後、指がフリックを継続することでショートカットウィンドウが隠れる。加えて、特定の実施形態において、ショートカットウィンドウは指のフリックと共にさらに移動してよい。加えて、本発明の本実施形態において、端末の表示エリアの縁部にショートカットウィンドウが移動するとき、ショートカットウィンドウが移動した縁部への指のフリックが継続するか否かに関わらず、ショートカットウィンドウは移動しなくてよい。
【００７０】
本発明の本実施形態において、ショートカットウィンドウの背景透明度がさらに調整されてよい。例えば、図５において、ショートカットウィンドウ４００内の暗いエリアが、ショートカットウィンドウの背景である。背景透明度は、ユーザの必要性に応じて調整されてよい。透明度が０であるとき、ショートカットウィンドウは第１画面を完全に覆ってよい。透明度が１００％であるとき、ユーザは、第１画面内の、ショートカットウィンドウの位置にあるコンテンツを、ショートカットウィンドウの背景から視認することができる。
【００７１】
本発明の本実施形態において、ショートカットウィンドウのサイズ、位置、および背景透明度の調整は、ショートカットウィンドウ内に含まれるオブジェクトに関連付けられたエレメントのタイプに限定されない。例えば、ショートカットウィンドウ内に含まれるオブジェクトが、インストールされたアプリケーションのみに関連付けられているときも、ショートカットウィンドウのサイズ、位置、および背景透明度は、本発明の本実施形態における方式に従って調整されてよい。
【００７２】
段階３０２：端末が、ショートカットウィンドウ内の少なくとも１つのオブジェクトが選択されたことを検出した後に、選択されたオブジェクトに関連付けられたエレメントの画面を表示する。
【００７３】
時間の経過に伴い、ユーザの使用習慣の変化とともに、頻繁に使用されるアプリケーションがそれに対応して変化する場合がある。ユーザエクスペリエンスを改善するべく、任意選択的に、第１画面が第１アプリケーションの画面であるとき、端末は、第１画面を表示しているときに、第１アプリケーションに関連付けられた第１オブジェクトをショートカットウィンドウ内にセットすることをトリガするために用いられる第２トリガイベントを検出し、第２トリガイベントに応答し、第１オブジェクトをショートカットウィンドウ内にセットする。
【００７４】
第２トリガイベントは、例えば３本指での下フリックのような、第１画面とは無関係なジェスチャ操作であってもよく、または物理アイコンのトリガ、もしくは音もしくは圧力などの操作であってもよい。ユーザは、当該物理アイコンを用いてセット画面に入ってよい。
【００７５】
具体的には、図４ａに示すように、ショートカットウィンドウ４００は、８つのオブジェクトを含む。ショートカットウィンドウ内にセットできるオブジェクトの最大数が９である場合、第１オブジェクトは、オブジェクト４０１の前に直接セットされる。図４ｉに示すように、４０２が第１オブジェクトである。ショートカットウィンドウ内にセットできるオブジェクトの最大数が８である場合、予め設定される条件を満たすオブジェクトのうちの１つが削除され、第１オブジェクトがショートカットウィンドウ内にセットされる。具体的には、予め設定される条件は、実際の条件に従って設定されてよい。例えば、予め設定される条件は、ショートカットウィンドウ内において選択される回数が最も少ないオブジェクトである。
【００７６】
任意選択的に、端末は、端末にインストールされた少なくとも１つのエレメントの特徴が予め設定される特徴と一致することを決定したときに、当該少なくとも１つのエレメントに関連付けられたオブジェクトをショートカットウィンドウ内にセットする。
【００７７】
具体的には、当該エレメントが端末にインストールされたアプリケーションである場合、端末は、ユーザによる端末にインストールされたアプリケーションの使用習慣を学習すること、およびユーザにより使用されるアプリケーションのデータを解析することにより、ユーザにより使用されるはずのアプリケーションを知能的に提案し、これによりユーザは、ユーザが使用する必要があるアプリケーションを迅速に見つけ得る。例えば、予め設定される条件を満たすアプリケーションのアイコンが、予め設定される期間においてショートカットウィンドウ内にセットされる。具体的には、予め設定される特徴が、特定の期間におけるユーザによる第１アプリケーションの使用回数が予め設定される閾値（例えば、予め設定される閾値は８である）よりも大きいことである場合、端末は、当該期間の開始時を検出したときに、第１アプリケーションのアイコンをショートカットウィンドウ内にセットする。任意選択的に、当該期間の終了時となったときに、ショートカットウィンドウ内の第１アプリケーションのアイコンが削除される。予め設定される特徴はさらに、アプリケーションが新たなリマインダまたは新たなメッセージを有することであってよい。例えば、メールボックスまたはメッセージなどのメッセージアプリケーションが新たなリマインダを有することを端末が検出した場合、新たなリマインダを有するメールボックスまたはメッセージなどのメッセージアプリケーションのアイコンがショートカットウィンドウ内にセットされる。加えて、予め設定される特徴は、処理予定イベントに格納されるイベントに関連する。処理予定イベントがチケットの購入を含むと仮定すると、処理予定イベントがチケットの購入を含むことを端末が検出したときに、端末内におけるチケットに関連する少なくとも１つのアプリケーションのアイコンがショートカットウィンドウ内にセットされる。
【００７８】
エレメントが音楽ファイル（例えばｍｐ３フォーマットのファイル）であり、予め設定される特徴が、再生回数が予め設定される回数よりも大きいことである場合、当該音楽ファイルのアイコンがショートカットウィンドウ内にセットされる。
【００７９】
任意選択的に、端末は、当該少なくとも１つのオブジェクトのうちｎ個のオブジェクトを予め設定される時間間隔でショートカットウィンドウから削除し、ｎは、０よりも大きく、当該少なくとも１つのオブジェクトに含まれるオブジェクトの総数以下である正の整数であることに留意されたい。
【００８０】
具体的には、当該ｎ個のオブジェクトは、予め設定される削除条件を満たす。削除特徴が、オブジェクトの選択回数が予め設定される閾値よりも小さいことであると仮定すると、当該ｎ個のオブジェクトの選択回数は、全て予め設定される閾値よりも小さい。ｍ個のオブジェクトの選択回数が全て予め設定される閾値よりも小さく、ｍはｎよりも大きいと仮定すると、最大ｎ個のオブジェクトが毎回削除されるように端末が設定する場合、端末は、選択回数の少ない順にｎ個のオブジェクトを逐次削除する。
【００８１】
本発明の本実施形態において、アプリケーション１の画面を表示すること、アプリケーション２の画面を表示すること、またはデスクトップを表示することのいずれであるかに関わらず、端末は、第１トリガイベントを検出したときに、当該ショートカットウィンドウをショートカットウィンドウとして表示することを理解されたい。第１トリガイベントは、同じ操作であってもよく、または複数の異なる操作であってもよい。
【００８２】
あるいは、本発明の本実施形態において、端末上に表示されている画面がアプリケーション１の画面であり、端末がアプリケーション１の画面上での第１トリガイベントを検出したときに、ショートカットウィンドウ内にセットおよび表示されるオブジェクトは、端末上に表示される画面がアプリケーション２の画面であり、端末がアプリケーション２の画面上での第１トリガイベントを検出したときに、ショートカットウィンドウ内にセットおよび表示されるオブジェクトとは異なる。すなわち、各アプリケーションが一のショートカットウィンドウに対応し、異なるアプリケーションの画面上にショートカットウィンドウが呼び出されるおよび表示される方式は、同じであってもよく、または異なっていてもよい。
【００８３】
同じ発明概念に基づいて、本発明の一実施形態はさらに端末を提供する。当該端末に対応する方法は、本発明の実施形態における画面表示方法である。従って、本発明の本実施形態における端末の実現形態については、当該方法の実現形態を参照されたく、繰り返しの説明は提供しない。
【００８４】
図６に示すように、本発明の本実施形態における端末は、表示ユニット６００および処理ユニット６１０を備える。表示ユニット６００は、第１画面を表示するよう構成され、処理ユニット６１０は、第１トリガイベントを検出したときに、表示ユニット６００が第１トリガイベントに応答することをトリガするよう構成され、第１トリガイベントは、表示ユニット６００がショートカットウィンドウを第１画面上に表示することをトリガするために用いられ、表示ユニット６００はさらに、第１トリガイベントに応答し、ショートカットウィンドウを第１画面上に表示するよう構成され、ショートカットウィンドウは、少なくとも１つのオブジェクトを含み、各オブジェクトは、１つのエレメントに関連付けられ、当該少なくとも１つのオブジェクトに関連付けられたエレメントは、端末にインストールされたアプリケーション、連絡先、設定、リマインダ、またはドキュメントのうちの少なくとも２つを含み、処理ユニット６１０はさらに、ショートカットウィンドウ内の少なくとも１つのオブジェクトが選択されたことを検出した後に、表示ユニット６００が選択されたオブジェクトに関連付けられたエレメントの画面を表示することをトリガするよう構成される。
【００８５】
任意選択的に、第１画面は、第１アプリケーションの画面である。
【００８６】
任意選択的に、処理ユニット６１０はさらに、第１画面を表示ユニット６００上に表示しているときに、第２トリガイベントを検出し、第２トリガイベントに応答するよう構成され、第２トリガイベントは、第１アプリケーションに関連付けられたオブジェクトをショートカットウィンドウ内にセットすることをトリガするために用いられる。
【００８７】
任意選択的に、処理ユニット６１０はさらに、当該少なくとも１つのオブジェクトのうちｎ個のオブジェクトを予め設定される時間間隔でショートカットウィンドウから削除するよう構成され、ｎは、０よりも大きく、当該少なくとも１つのオブジェクトに含まれるオブジェクトの総数以下である正の整数である。
【００８８】
任意選択的に、オブジェクトは、アプリケーションのアイコン、または、予め設定されるパーセンテージに従って縮小された、アプリケーションの、端末上で最後に表示された画面のスクリーンショットである。
【００８９】
任意選択的に、処理ユニット６１０はさらに、端末にインストールされた少なくとも１つのアプリケーションの特徴が予め設定される特徴と一致することを決定した後に、当該少なくとも１つのアプリケーションに関連付けられたオブジェクトをショートカットウィンドウ内にセットするよう構成される。
【００９０】
任意選択的に、処理ユニット６１０はさらに、表示ユニット６００がショートカットウィンドウを表示した後に、ショートカットウィンドウのサイズを調整するために用いられる第３トリガイベントを検出し、第３トリガイベントに応答し、ショートカットウィンドウのサイズを調整するよう構成される。
【００９１】
任意選択的に、ショートカットウィンドウ内に含まれるオブジェクトの数がショートカットウィンドウ内に表示されるオブジェクトの数よりも大きいとき、処理ユニット６１０はさらに、ショートカットウィンドウ内の少なくとも１つのオブジェクトが選択されたことを検出する前に、ショートカットウィンドウの表示エリア内でのフリック操作を検出し、フリック操作に応答し、ショートカットウィンドウ内に表示される少なくとも１つのオブジェクトを切り替え、ショートカットウィンドウ内に表示されるオブジェクトが選択された少なくとも１つのオブジェクトを含むことを決定するよう構成される。
【００９２】
上述の内容から、端末は、第１画面を表示しているときに、第１トリガイベントを検出し、第１トリガイベントに応答してショートカットウィンドウを第１画面上に表示することが把握されよう。ショートカットウィンドウは、少なくとも１つのオブジェクトを含み、各オブジェクトは、１つのエレメントに関連付けられ、少なくとも１つのオブジェクトに関連付けられたエレメントは、端末にインストールされたアプリケーション、連絡先、設定、リマインダ、またはドキュメントのうちの１または複数を含む。端末は、ショートカットウィンドウ内の少なくとも１つのオブジェクトが選択されたことを検出した後に、選択されたオブジェクトに関連付けられたエレメントの画面を表示する。本発明の本実施形態においては、ショートカットウィンドウを第１画面上に表示することができる。従って、ユーザは、ショートカットウィンドウを第１画面上に直接呼び出すこと、およびショートカットウィンドウ内のオブジェクトを用いることにより、別のアプリケーションの画面に直接的に入り得る。これにより、従来技術と比較して、第１画面から別のアプリケーションの画面に入る方式が簡略化され、それによりユーザエクスペリエンスが改善される。
【００９３】
本発明は、本発明の実施形態に係る方法、デバイス（システム）、およびコンピュータプログラム製品のフローチャートおよび／またはブロック図に関連して説明されている。フローチャートおよび／またはブロック図内の各プロセスおよび／または各ブロックならびにフローチャートおよび／またはブロック図内のプロセスおよび／またはブロックの組み合わせを実現するために、コンピュータプログラム命令が用いられてよいことを理解されたい。これらのコンピュータプログラム命令は、機械を生成するよう、汎用コンピュータ、専用コンピュータ、組み込みプロセッサ、または任意の他のプログラム可能データ処理デバイスのプロセッサに提供されてよく、これにより、コンピュータまたは任意の他のプログラム可能データ処理デバイスのプロセッサにより実行される命令が、フローチャート内の１または複数のプロセスおよび／またはブロック図内の１または複数のブロックにおける特定の機能を実現するための装置を生成する。
【００９４】
これらのコンピュータプログラム命令は、特定の方式で動作するようコンピュータまたは任意の他のプログラム可能データ処理デバイスに命令することができるコンピュータ可読メモリに格納されてよく、これにより、コンピュータ可読メモリに格納された命令が、命令装置を含むアーティファクトを生成する。命令装置は、フローチャート内の１または複数のプロセスおよび／またはブロック図内の１または複数のブロックにおける特定の機能を実現する。
【００９５】
これらのコンピュータプログラム命令は、コンピュータまたは別のプログラム可能データ処理デバイス上にロードされてよく、これにより、一連のオペレーションおよび段階が、コンピュータまたは別のプログラム可能デバイス上で実行され、それにより、コンピュータにより実現される処理が生成される。従って、コンピュータまたは別のプログラム可能デバイス上で実行される命令は、フローチャート内の１または複数のプロセスおよび／またはブロック図内の１または複数のブロックにおける特定の機能を実現するための段階を提供する。
【００９６】
本発明のいくつかの好適な実施形態を説明したが、当業者であれば、基本的な発明概念を把握すれば、これらの実施形態に対して変更および修正を行うことができる。従って、以下の特許請求の範囲は、それら好適な実施形態ならびに本発明の範囲内でのあらゆる変更および修正を包含するものとして解釈されるよう意図されている。
【００９７】
当業者であれば、本発明の趣旨および範囲から逸脱しない限りにおいて、本発明に対する様々な修正および変形を行うことができるのは明らかである。本発明は、これらの修正および変形が、以下の特許請求の範囲およびそれに均等な技術によって定義される保護範囲に含まれる限りにおいて、それらを包含するよう意図される。
【図１】
2019532436.tif 000003
【図２】
2019532436.tif 000004
【図３】
2019532436.tif 000005
【図４ａ】
2019532436.tif 000006
【図４ｂ】
2019532436.tif 000007
【図４ｃ】
2019532436.tif 000008
【図４ｄ】
2019532436.tif 000009
【図４ｅ】
2019532436.tif 000010
【図４ｆ】
2019532436.tif 000011
【図４ｇ】
2019532436.tif 000012
【図４ｈ】
2019532436.tif 000013
【図４ｉ】
2019532436.tif 000014
【図５】
2019532436.tif 000015
【図６】
2019532436.tif 000016
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
画面表示方法であって、
端末が、第１画面を表示しているときに、第１トリガイベントを検出する段階であって、前記第１トリガイベントは、ショートカットウィンドウを前記第１画面上に表示することをトリガするために用いられる、段階と、
前記端末が、前記第１トリガイベントに応答し、前記ショートカットウィンドウを前記第１画面上に表示する段階であって、前記ショートカットウィンドウは、少なくとも１つのオブジェクトを含み、各オブジェクトは、１つのエレメントに関連付けられ、前記少なくとも１つのオブジェクトに関連付けられたエレメントは、前記端末にインストールされたアプリケーション、連絡先、設定、リマインダ、またはドキュメントのうちの少なくとも２つを含む、段階と、
前記端末が、前記ショートカットウィンドウ内の少なくとも１つのオブジェクトが選択されたことを検出した後に、選択された前記オブジェクトに関連付けられたエレメントの画面を表示する段階と
を備える方法。
【請求項２】
前記第１画面は、第１アプリケーションの画面である、請求項１に記載の方法。
【請求項３】
前記端末が、前記第１画面を表示しているときに、第２トリガイベントを検出する段階であって、前記第２トリガイベントは、前記第１アプリケーションに関連付けられたオブジェクトを前記ショートカットウィンドウ内にセットすることをトリガするために用いられる、段階と、
前記端末が、前記第２トリガイベントに応答し、前記第１アプリケーションに関連付けられた前記オブジェクトを前記ショートカットウィンドウ内にセットする段階と
をさらに備える、請求項２に記載の方法。
【請求項４】
前記端末が、前記少なくとも１つのオブジェクトのうちｎ個のオブジェクトを予め設定される時間間隔で前記ショートカットウィンドウから削除する段階であって、ｎは、０よりも大きく、前記少なくとも１つのオブジェクトに含まれるオブジェクトの総数以下である正の整数である、段階
をさらに備える、請求項１から３のいずれか一項に記載の方法。
【請求項５】
前記オブジェクトは、前記アプリケーションのアイコン、または、予め設定されるパーセンテージに従って縮小された、前記アプリケーションの、前記端末上で最後に表示された画面のスクリーンショットである、請求項１から４のいずれか一項に記載の方法。
【請求項６】
前記端末が、前記端末にインストールされた少なくとも１つのアプリケーションの特徴が予め設定される特徴と一致することを決定した後に、前記少なくとも１つのアプリケーションに関連付けられたオブジェクトを前記ショートカットウィンドウ内にセットする段階
をさらに備える、請求項１から５のいずれか一項に記載の方法。
【請求項７】
前記端末が、前記ショートカットウィンドウを表示する前記段階の後に、前記方法は、
前記端末が、第３トリガイベントを検出する段階であって、前記第３トリガイベントは、前記ショートカットウィンドウのサイズを調整するために用いられる、段階と、
前記端末が、前記第３トリガイベントに応答し、前記ショートカットウィンドウの前記サイズを調整する段階と
をさらに備える、請求項１から６のいずれか一項に記載の方法。
【請求項８】
前記ショートカットウィンドウ内に含まれるオブジェクトの数が、前記ショートカットウィンドウ内に表示されるオブジェクトの数よりも大きいとき、前記端末が、前記ショートカットウィンドウ内の前記少なくとも１つのオブジェクトが選択されたことを前記検出する前に、前記方法は、
前記端末が、前記ショートカットウィンドウの表示エリア内でのフリック操作を検出する段階と、
前記端末が、前記フリック操作に応答し、前記ショートカットウィンドウ内に表示される少なくとも１つのオブジェクトを切り替え、前記ショートカットウィンドウ内に表示されるオブジェクトが選択された前記少なくとも１つのオブジェクトを含むことを決定する段階と
をさらに備える、請求項１から７のいずれか一項に記載の方法。
【請求項９】
ディスプレイと、１または複数のプロセッサと、メモリと、１または複数のプログラムとを備える端末であって、前記１または複数のプログラムは、前記メモリに格納され、前記１または複数のプログラムは、命令を含み、前記命令が前記端末により実行されたときに、前記端末は、
前記ディスプレイにより第１画面を表示することと、
第１トリガイベントを検出したときに、前記ディスプレイが前記第１トリガイベントに応答することをトリガすることであって、前記第１トリガイベントは、前記ディスプレイがショートカットウィンドウを前記第１画面上に表示することをトリガするために用いられる、ことと、
前記第１トリガイベントに応答し、前記ショートカットウィンドウを前記第１画面上に表示することであって、前記ショートカットウィンドウは、少なくとも１つのオブジェクトを含み、各オブジェクトは、１つのエレメントに関連付けられ、前記少なくとも１つのオブジェクトに関連付けられたエレメントは、前記端末にインストールされたアプリケーション、連絡先、設定、リマインダ、またはドキュメントのうちの少なくとも２つを含む、ことと、
前記ショートカットウィンドウ内の少なくとも１つのオブジェクトが選択されたことを検出した後に、前記ディスプレイが選択された前記オブジェクトに関連付けられたエレメントの画面を表示することをトリガすることと
を行うよう構成される、
端末。
【請求項１０】
前記第１画面は、第１アプリケーションの画面である、請求項９に記載の端末。
【請求項１１】
前記端末はさらに、
前記第１画面を表示しているときに、前記ディスプレイにより、第２トリガイベントを検出し、前記第２トリガイベントに応答するよう構成され、前記第２トリガイベントは、前記第１アプリケーションに関連付けられたオブジェクトを前記ショートカットウィンドウ内にセットすることをトリガするために用いられる、
請求項１０に記載の端末。
【請求項１２】
前記端末はさらに、
前記少なくとも１つのオブジェクトのうちｎ個のオブジェクトを予め設定される時間間隔で前記ショートカットウィンドウから削除するよう構成され、ｎは、０よりも大きく、前記少なくとも１つのオブジェクトに含まれるオブジェクトの総数以下である正の整数である、
請求項９から１１のいずれか一項に記載の端末。
【請求項１３】
前記オブジェクトは、前記アプリケーションのアイコン、または、予め設定されるパーセンテージに従って縮小された、前記アプリケーションの、前記端末上で最後に表示された画面のスクリーンショットである、請求項９から１２のいずれか一項に記載の端末。
【請求項１４】
前記端末はさらに、
前記端末にインストールされた少なくとも１つのアプリケーションの特徴が予め設定される特徴と一致することを決定した後に、前記少なくとも１つのアプリケーションに関連付けられたオブジェクトを前記ショートカットウィンドウ内にセットするよう構成される、
請求項９から１３のいずれか一項に記載の端末。
【請求項１５】
前記端末はさらに、
前記ディスプレイが前記ショートカットウィンドウを表示した後に、前記ショートカットウィンドウのサイズを調整するために用いられる第３トリガイベントを検出し、前記第３トリガイベントに応答し、前記ショートカットウィンドウの前記サイズを調整するよう構成される、
請求項９から１４のいずれか一項に記載の端末。
【請求項１６】
前記ショートカットウィンドウ内に含まれるオブジェクトの数が、前記ショートカットウィンドウ内に表示されるオブジェクトの数よりも大きいとき、前記端末はさらに、
前記ショートカットウィンドウ内の前記少なくとも１つのオブジェクトが選択されたことを検出する前に、前記ショートカットウィンドウの表示エリア内でのフリック操作を検出し、前記フリック操作に応答し、前記ショートカットウィンドウ内に表示される少なくとも１つのオブジェクトを切り替え、前記ショートカットウィンドウ内に表示されるオブジェクトが選択された前記少なくとも１つのオブジェクトを含むことを決定するよう構成される、
請求項９から１５のいずれか一項に記載の端末。
【手続補正２】
【補正対象書類名】明細書
【補正対象項目名】００４６
【補正方法】変更
【補正の内容】
【００４６】
ショートカットウィンドウ内に表示される複数のオブジェクトに関連付けられる複数のエレメントは、同じタイプのものであってもよく、例えばこれらのエレメントは全てアプリケーションであり、または異なるタイプの混合、例えばアプリケーションおよび画像の混合であってもよいことに留意されたい。図２を参照すると、図２は、本発明の一実施形態が適用される端末のハードウェア構造の概略図である。端末２００は、表示デバイス２１０、プロセッサ２２０、およびメモリ２３０を含む。表示デバイス２１０は、ユーザにより入力される情報またはユーザに提供される情報、および端末２００の様々な操作画面等を表示するよう構成されるディスプレイパネル２１１を含む。本発明の本実施形態において、ディスプレイパネル２１１は主に、端末１００にインストールされたアプリケーションの画面、デスクトップ、ショートカットウィンドウ、およびショートカットウィンドウ内に含まれる少なくとも１つのオブジェクト等を表示するよう構成される。任意選択的に、ディスプレイパネル２１１は、ＬＣＤ（Ｌｉｑｕｉｄ  Ｃｒｙｓｔａｌ  Ｄｉｓｐｌａｙ、液晶ディスプレイ）またはＯＬＥＤ（Ｏｒｇａｎｉｃ  Ｌｉｇｈｔ−Ｅｍｉｔｔｉｎｇ  Ｄｉｏｄｅ、有機発光ダイオード）などの形態で構成されてよい。
【国際調査報告】
2019532436.tif 000017
2019532436.tif 000018
2019532436.tif 000019
2019532436.tif 000020